(57)【要約】【課題】本発明は、複数の無線センサから異常状態検知信号が送信された場合にも通信機から通報装置に確実に異常通知信号が通知される異常通報システムを提供することを目的とするものである。【解決手段】通信機２Ａは無線センサＳ１及びＳ２から異常検知信号を受信するように設定され、通信機２Ｂは無線センサＳ３及びＳ４から異常検知信号を受信するように設定されている。通報装置１は、通信機２Ａ及び２Ｂから異常通知信号を受信して警備センタに異常通報信号を送信する。通信機２Ａが通報装置１と通信中で無線センサＳ２からの異常検知信号を受け付けないときは、通信機２Ｂがその異常検知信号を受信してリカバリ通知信号を通報装置１に送信して、無線センサＳ２の異常検知を通報する。【選択図】図２
2006099506.tif 000002
【特許請求の範囲】
【請求項１】
複数の異常状態検知センサから無線送信される異常検知信号を受信する通信機と、複数の前記通信機との間で通信を行うと共に警備センタとの間で通信を行う通報装置とを備え、
前記通信機は、受信した異常検知信号のうち他の通信機が受信するように設定された特定異常検知信号を識別する識別手段と、受信した特定異常検知信号に基づいて特定異常通知信号を前記通報装置に送信する特定異常通知手段とを備えており、
前記通報装置は、受信した前記特定異常通知信号と同一の異常通知信号が他の通信機から送信されたか判定する判定手段と、判定手段が送信されていないと判定された場合に前記特定異常通知信号に基づいて前記警備センタに特定異常通報信号を送信する特定異常通報手段とを備えていることを特徴とする異常通報システム。
【請求項２】
前記通報装置は、各通信機の警備状態を示す警備状態信号を各通信機に送信する警備状態通知手段を備えており、
前記通信機は、受信した前記警備状態信号に基づいて他の通信機が警備状態に設定されているか否か判定する判定手段と、判定手段が警備状態に設定されていると判定された場合にのみ前記特定異常通知手段により特定異常通知信号を前記通報装置に送信することを特徴とする請求項１に記載の異常通報システム。
【請求項３】
異常状態検知センサが異常状態を検知した際に当該異常状態検知センサから無線送信されるセンサ識別コードを受信する通信機と、複数の前記通信機との間で通信を行うと共に警備センタとの間で通信を行う通報装置とを備え、
前記通信機は、同じグループに設定された各通信機の通信機識別コード及び各通信機がそれぞれ受信するように設定された異常状態検知センサのセンサ識別コードを記憶する記憶手段と、受信したセンサ識別コードを前記記憶手段に記憶されたセンサ識別コードに基づいて識別する識別手段と、識別手段により同じグループ内の他の通信機が受信するように設定された異常状態検知センサのセンサ識別コードであると識別された場合に他の通信機と前記通報装置が通信中であるか否か判定する判定手段と、判定手段により通信中と判定された場合に前記通報装置の通信終了後に受信したセンサ識別コードを前記通報装置に送信する識別コード通知手段とを備えており、
前記通報装置は、受信したセンサ識別コードと同一のセンサ識別コードが他の通信機から送信されたか判定する判定手段と、判定手段が送信されていないと判定された場合に受信したセンサ識別コードに基づいて前記警備センタに異常通報信号を送信する異常通報手段とを備えていることを特徴とする異常通報システム。
【発明の詳細な説明】
【技術分野】
【０００１】
本発明は、住宅又は事務所等において、窓の開閉、ガス漏れ、侵入者の存在といった異常状態が生じたことを検知して警備センタにその異常状態を通報する異常通報システムに関する。
【背景技術】
【０００２】
こうした異常通報システムでは、住宅又は事務所等の建物について複数箇所に検知センサを設置することが必要になることから、検知センサからの異常状態検知信号を無線通信を用いて伝送することが行われている。例えば、特許文献１では、監視対象に設置されたセンサが接続された無線式の状態送信装置とコントローラとの間で無線通信を行ってセンサの検知信号を無線送信し、コントローラから電話回線及び交換機を介して警備センタに通報するようにした点が記載されている。また、特許文献２では、無線センサ通信機が状態変動検知部の検知信号をアンテナを介して集中管理装置に無線送信し、集中管理装置では受信された検知信号に基づいて状態検知結果を表示するようにした点が記載されている。
【特許文献１】特開平１０−３３４３８０号公報
【特許文献２】特開２００４−１８５３８３号公報
【発明の開示】
【発明が解決しようとする課題】
【０００３】
図１は、上述した先行文献のように、無線通信を用いた警備システムを示している。この警備システムでは、マンション等の集合住宅において各戸に無線センサＳ１〜Ｓ１２を２個ずつ設置して各無線センサからの検知信号を各戸に配置した通信機２Ａ〜２Ｆで受信するようになっている。そして、各通信機からの通知信号は通報装置１で受信され、通報装置１から通報信号が公衆無線電話回線３及び有線電話回線４を介して警備センタ５に伝送される。警備センタ５は、通報信号を受信すると異常状態を検知した無線センサの設置場所を表示して警備員の派遣を促す。
【０００４】
こうした無線通信を用いた警備システムでは、複数の無線センサからの検知信号を１つの通信機で受信するように設定されているが（例えば、無線センサＳ１及びＳ２は、通信機２Ａで受信するように設定されている）、通信機が１回線分の無線通信回線しか備えていない場合１つの無線センサで検知信号が通信機に送信されて通信機が通報装置と通信中に他の無線センサが検知信号を送信しても通信機で受信されない。そのため、受信されなかった無線センサの検知信号が警備センタに通報されず、警備上大きな問題となる。
【０００５】
こうした問題点に対処するため、通信機に複数回線分の無線通信が行えるように機能アップしたり、通信機の数を増加させることも考えられるが、コストアップにつながるため現実的でない。また、無線センサの検知信号の出力を通信機が受信するまで行うことも考えられるが、無線センサの電源が無駄に消耗することになる。さらに、一般的な無線センサは送信機能しか備えていない。
【０００６】
そこで、本発明は、複数の無線センサから異常状態検知信号が送信された場合にも通信機から通報装置に確実に異常通知信号が通知される異常通報システムを提供することを目的とするものである。
【課題を解決するための手段】
【０００７】
本発明に係る異常通報システムは、複数の異常状態検知センサから無線送信される異常検知信号を受信する通信機と、複数の前記通信機との間で通信を行うと共に警備センタとの間で通信を行う通報装置とを備え、前記通信機は、受信した異常検知信号のうち他の通信機が受信するように設定された特定異常検知信号を識別する識別手段と、受信した特定異常検知信号に基づいて特定異常通知信号を前記通報装置に送信する特定異常通知手段とを備えており、前記通報装置は、受信した前記特定異常通知信号と同一の異常通知信号が他の通信機から送信されたか判定する判定手段と、判定手段が送信されていないと判定された場合に前記特定異常通知信号に基づいて前記警備センタに特定異常通報信号を送信する特定異常通報手段とを備えていることを特徴とする。さらに、前記通報装置は、各通信機の警備状態を示す警備状態信号を各通信機に送信する警備状態通知手段を備えており、前記通信機は、受信した前記警備状態信号に基づいて他の通信機が警備状態に設定されているか否か判定する判定手段と、判定手段が警備状態に設定されていると判定された場合にのみ前記特定異常通知手段により特定異常通知信号を前記通報装置に送信することを特徴とする。
【０００８】
本発明に係る別の異常通報システムは、異常状態検知センサが異常状態を検知した際に当該異常状態検知センサから無線送信されるセンサ識別コードを受信する通信機と、複数の前記通信機との間で通信を行うと共に警備センタとの間で通信を行う通報装置とを備え、前記通信機は、同じグループに設定された各通信機の通信機識別コード及び各通信機がそれぞれ受信するように設定された異常状態検知センサのセンサ識別コードを記憶する記憶手段と、受信したセンサ識別コードを前記記憶手段に記憶されたセンサ識別コードに基づいて識別する識別手段と、識別手段により同じグループ内の他の通信機が受信するように設定された異常状態検知センサのセンサ識別コードであると識別された場合に他の通信機と前記通報装置が通信中であるか否か判定する判定手段と、判定手段により通信中と判定された場合に前記通報装置の通信終了後に受信したセンサ識別コードを前記通報装置に送信する識別コード通知手段とを備えており、前記通報装置は、受信したセンサ識別コードと同一のセンサ識別コードが他の通信機から送信されたか判定する判定手段と、判定手段が送信されていないと判定された場合に受信したセンサ識別コードに基づいて前記警備センタに異常通報信号を送信する異常通報手段とを備えていることを特徴とする。
【発明の効果】
【０００９】
本発明に係る異常通報システムは、上記のような構成を有することで、受信した異常検知信号が他の通信機が受信するように設定された特定異常検知信号であると識別されると、通報装置に特定異常通知信号を送信し、通報装置は、受信した特定異常通知信号と同一の異常通知信号が他の通信機から送信されていないと判定された場合に特定異常通知信号に基づいて警備センタに特定異常通報信号を送信するようにしているので、他の通信機が通報装置と通信中に異常状態検知センサから異常検知信号が送信されても別の通信機においてその異常検知信号が特定異常検知信号として受信されると、通報装置に送信されて確実に警備センタに異常通報されるようになる。したがって、例えば、通信機が１回線分の無線通信機能しかなくても別の通信機が代わりに異常検知信号を受信するので、通信機に対して受信設定された複数の異常状態検知センサが同時に異常検知信号を送信しても各異常検知信号に対応して確実に異常通報を警備センタに送信することができ、漏れなく警備状態を設定することができる。
【００１０】
そして、通信機が、他の通信機が警備状態に設定されているか否か判定して警備状態に設定されていると判定された場合にのみ特定異常通知信号を通報装置に送信するようにすることで、警備状態に設定されているときだけ異常通知信号が通報装置に送信され、異常通知信号の誤報を減少させることができる。
【００１１】
また、本発明に係る別の異常通報システムは、上記のような構成を有することで、各通信機が通報装置と各通信機との間の通信状態を共有化して、受信されたセンサ識別コードが同じグループ内の他の通信機が受信するように設定された異常状態検知センサのセンサ識別コードであると識別された場合に通信機と通報装置が通信中であるか否か判定して、通信中であると判定された場合に受信されたセンサ識別コードを通報装置に送信するようにしているので、受信されたセンサ識別コードが通報装置に通知されたか否か通信機で判定してセンサ識別コードを送信することができる。すなわち、同じグループ内の他の通信機に対して受信設定された異常状態検知センサのセンサ識別コードが受信された場合に他の通信機と通報装置が通信中であればセンサ識別コードが送信されない可能性があるため、受信したセンサ識別コードを通報装置に通知するようにすれば、異常状態検知センサが異常状態を検知したことを確実に警備センタに通報することができる。そして、通報装置は、受信したセンサ識別コードと同一のセンサ識別コードが他の通信機から送信されたか判定して送信されていないと判定された場合に警備センタに通報するようにしているので、同じセンサ識別コードが通報されることを防止することができる。
【発明を実施するための最良の形態】
【００１２】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１３】
図２は、本発明に係る実施形態に関する概略図である。図１と同様に、通報装置１、通信機２Ａ及び２Ｂ、無線センサＳ１〜Ｓ４を備えている。通報装置１は、図３に示すように、装置全体の制御を行う制御部１０、制御処理に必要なプログラムやデータを記憶する記憶部１１、警備センタと通信を行う際に無線電話回線においてパケット通信を行うためのプロトコル処理（ＴＣＰ／ＩＰ）を行うプロトコル処理部１２及びパケット通信部１３、通信機２Ａ及び２Ｂとの間で無線通信で信号を送受信する送受信部１４、装置内の各部に電源電圧Ｖｃｃを供給する電源部１５を備えている。
【００１４】
そして、制御部１０は、通信機から警備状態を示す警備状態信号を受信した後異常通知信号を受信すると警備センタに異常通報信号を送信するように制御処理する。また、各通信機の警備状態信号を各通信機に送信して、各通信機が互いに警備状態を判定できるようにしている。また、後述するリカバリ通知信号と同一の異常通知信号が送信されたか判定し、送信されていないと判定された場合にのみリカバリ通知信号に基づいて警備センタに異常通報する処理を行う。
【００１５】
記憶部１１は、受信した異常通知信号が記憶されており、リカバリ通知信号と同一の異常通知信号が送信されたか判定する際に記憶された異常通知信号を読み出して用いられる。記憶された異常通知信号に関する情報は、警備センタからの削除処理等により消去される。
【００１６】
通信機は、図４に示すように、装置全体の制御を行う制御部２０、無線センサ及び通報装置１との間で無線通信で信号を送受信する送受信部２１、制御処理に必要なプログラムやデータを記憶する記憶部２２、監視対象の機器のセンサと有線で接続される機器接続部２３、装置内の各部に電源電圧Ｖｃｃを供給する電源部２４を備えている。
【００１７】
制御部２０は、無線センサから異常検知信号を送受信部２１で受信すると、異常通知信号を通報装置１に送信するように制御処理する。異常検知信号を受信すると異常通知信号を通報装置１に送信する。ただし、送受信部２１は１回線分しか通信できないため、通報装置１と通信中に無線センサから異常検知信号が送信されても受信することはできない。
【００１８】
また、制御部２０は、受信した異常検知信号のうち他の通信機に受信設定された無線センサの異常検知信号を識別してその異常検知信号に基づいてリカバリ通知信号を通報装置１に送信する。図２では、通信機２Ａは、無線センサＳ１及びＳ２からの異常検知信号を受信するように設定され、通信機２Ｂは、無線センサＳ３及びＳ４を受信するように設定されている。通信機２Ｂは、無線センサＳ１及びＳ２からの異常検知信号を受信するとリカバリ通知信号を通報装置１に送信し、通信機２Ａは、無線センサＳ３及びＳ４からの異常検知信号を受信するとリカバリ通知信号を通報装置１に送信するようになる。したがって、リカバリ通知信号は、通信機が自己以外の他の通信機に対して受信設定された無線センサからの異常検知信号を受信して他の通信機に代わって出力する異常通知信号で、特定異常通知信号に相当するものである。
【００１９】
また、制御部２０は、通報装置１から送信された各通信機の警備状態信号に基づいてリカバリ通知信号のもととなる異常検知信号を受信するように設定されている通信機が警備状態であるか判定し、警備状態と判定された場合にのみリカバリ通知信号を送信する。
【００２０】
記憶部２２は、自己に対して受信設定された異常検知信号及び他の通信機に対して受信設定された異常信号を識別するための識別情報が記憶されている。例えば、無線センサＳ１及びＳ２の識別コードを自己の受信設定用として記憶し、無線センサＳ３及びＳ４の識別コードを他の通信機の受信設定用として記憶しておけばよい。通信機２Ｂの記憶部では、無線センサＳ３及びＳ３の識別コードを自己の受信設定用として記憶し、無線センサＳ１及びＳ２の識別コードを他の通信機の受信設定用として記憶するようになる。
【００２１】
送受信部２１は、無線センサとの間の通信及び通報装置１との間の通信が混信しないように２つの通信を異なる周波数で行うようにしている。例えば、ＲＦ通信を用いて、無線センサとの間の通信はチャンネル１（４２６ＭＨｚ）で行い、通報装置１との間の通信はチャンネル５（４２９ＭＨｚ）で行うようにすればよい。通常の通信状態では、チャンネル１に設定して無線センサとの間で通信可能な状態とし、間欠的にチャンネル５に切り換えて通報装置１との間で通信可能な状態とされる。
【００２２】
無線センサは、図５に示すように、センサ全体を制御する制御部３０、通信機との間で通信を行う送信部３１、制御に必要なプログム及びデータを記憶する記憶部３２、監視対象の状態を検知する状態検知部３３、センサの各部に電源電圧Ｖｃｃを供給する電源部３４を備えている。
【００２３】
状態検知部３３は、例えば、窓が開けられたり、破壊されたりした場合のように状態が変化した場合を検知するようにされている。
【００２４】
次に、図２において、無線センサＳ１及びＳ２が同時に異常検知信号を出力した場合の処理について説明する。
【００２５】
まず、通信機２Ａは警備状態モードに設定され、警備状態に設定されたことが通報装置１に送信される。
【００２６】
無線センサＳ１及びＳ２が同時に異常検知信号が出力されて、無線センサＳ１の異常検知信号が通信機２Ａに受信されたとする（図２の矢印（１）参照）。通信機２Ａは、受信した無線センサＳ１の異常検知信号に基づき通報装置１に無線センサＳ１に関する異常通知信号を送信する（図２の矢印（２）参照）。通報装置１は、無線センサＳ１に関する異常通知信号を記憶部１１に記憶すると共にその異常通知信号に基づいて警備センタに異常通報信号を送信する。
【００２７】
一方、無線センサＳ２の異常検知信号は通信機２Ａで受け付けられないため、通信機２Ａを介して警備センタに異常通報信号を送信できない。そこで、無線センサＳ２の異常検知信号を通報するための処理を図７及び図８のフローを用いて説明する。
【００２８】
図７は、通信機２Ｂの受信処理を示している。まず、異常検知信号が受信されたかチェックし（Ｓ１００）、異常検知信号が受信されると、その送信元を識別する（Ｓ１０１）。送信元は、記憶部に記憶された識別コードに基づいて識別され、無線センサＳ１又はＳ２であると識別された場合には、通信機２Ａの警備状態がチェックされ（Ｓ１０２）、警備状態である場合には、通報装置１にリカバリ通知信号を送信処理する（Ｓ１０３）。一方、ステップＳ１０１で、送信元が無線センサＳ３又はＳ４であると識別された場合には、自己に対して受信設定された無線センサであるので、警報告知を行い（Ｓ１０４）、通報装置１に異常通知信号を通信処理する（Ｓ１０５）。ステップＳ１００で異常検知信号が受信されない場合、ステップＳ１０１で送信元が無線センサＳ１〜Ｓ４以外の場合及びステップＳ１０２で通信機２Ａが警備状態でない場合には、そのまま終了する。以上の処理により、図２において、無線センサＳ２の異常検知信号は通信機２Ｂに受信され（図２の矢印（３）参照）、通信機２Ｂからリカバリ通知信号が通報装置１に送信される（図２の矢印（４）参照）。
【００２９】
図８は、通報装置１でのリカバリ受信処理を示している。通報装置１は、リカバリ通知信号を受信すると、それと同じ異常通知信号が受信されているか記憶部１１に記憶された受信履歴をチェックする（Ｓ２００）。受信されていない場合には、リカバリ通知信号に基づいて警備センタに異常通報処理を行う（Ｓ２０１）。そしてリカバリ通知信号のもととなる異常検知信号を受信設定された通信機に対して通報済み信号を送信する（Ｓ２０２）。通報済み信号を送信することで、その通信機がリカバリ通知信号と同じ無線センサから異常検知信号を受信したとしても異常通知信号を送信することがなくなる。ステップＳ２００で同じ異常通知信号が受信されていた場合には、リカバリ通知信号に基づいて異常通報する必要がないので、そのまま終了する。以上の処理により、図２において、無線センサＳ２の異常通知信号に基づいて通報装置１より異常通報がなされ（図２の矢印（５）参照）、通報装置１から通信機２Ａに対して通報済み信号が送信される（図２の矢印（６）参照）。
【００３０】
なお、通報装置１と通信機２Ｃ及び２Ｄについても以上説明した処理と同様の処理が行われており、通報装置１と通信機２Ｅ及び２Ｆについても同様であるので、ここでは説明を省略する。
【００３１】
以上説明した実施形態において、異常検知信号として各無線センサからそれぞれ固有のセンサ識別コードを送信するようにすれば、処理が簡略化でき迅速に処理を行うことができる。例えば、図６に示すテーブルように、図１に示す通信機２Ａ〜２Ｆを３つのグループＧ１（２Ａ及び２Ｂ）、Ｇ２（２Ｃ及び２Ｄ）及びＧ３（２Ｅ及び２Ｆ）に分け、無線センサＳ１〜Ｓ１２にそれぞれ固有のセンサ識別コードＳ１〜Ｓ１２を付与する。そして、各通信機の通信機識別コード２Ａ〜２Ｆに対応して、それぞれ受信設定された無線センサ、グループ登録された無線センサ及び同じグループ内の通信機識別コードを設定する。こうして設定されたテーブルは、通報装置および各通信機の記憶部に記憶される。
【００３２】
図９は、センサ識別コードを用いた通信機での処理フローを示している。異常検知信号が受信されたかチェックされ（Ｓ３００）、異常検知信号が受信されると、そのセンサ識別コードが図６に示すテーブルに基づいて識別される（Ｓ３０１）。自己に受信設定されたセンサ識別コードか、同じグループ内の他の通信機に受信設定されたセンサ識別コードかあるいはそれ以外か識別される。同じグループ内のセンサ識別コードであると識別された場合には、通信機と通報装置１が通信中かチェックされる（Ｓ３０２）。通報装置と通信中であると判定された場合には通報装置１が通信中かチェックされて（Ｓ３０３）、通報装置が通信を終了すると通報装置１にセンサ識別コードを送信処理する（Ｓ３０４）。ステップＳ３０２において通信機が通報装置１と通信中であることは、異常検知信号が受け付けられていない可能性があるため、通報装置１にセンサ識別コードを送信するようにしている。
【００３３】
一方、ステップＳ３０１で、自己に受信設定されたセンサ識別コードであると識別された場合には、警報告知を行った後（Ｓ３０５）、ステップＳ３０３に進み、通報装置１が通信中かチェックされて、通報装置１にセンサ識別コードの送信処理を行う。ステップＳ３００で異常検知信号が受信されない場合、ステップＳ３０１でそれ以外のセンサ識別コートと識別された場合及びステップＳ３０２で通信機と通報装置１が通信中でない場合には、そのまま終了する。
【００３４】
図１０は、通報装置１での受信処理を示している。通報装置１は、センサ識別コードを受信すると、それと同じセンサ識別コードが受信されているか記憶部１１に記憶された受信履歴をチェックする（Ｓ４００）。受信されていない場合には、センサ識別コードに基づいて警備センタに異常通報処理を行う（Ｓ４０１）。そしてセンサ識別コードに対応する通信機コードに該当する通信機に対して通報済み信号を送信する（Ｓ４０２）。通報済み信号を送信することで、その通信機が同じセンサ識別コードを送信することが防止される。ステップＳ２００で同じセンサ識別コードが受信されていた場合には、そのまま終了する。
【００３５】
以上説明した実施形態を用いることで、通信機の無線通信回線を増やすことなく、複数の無線センサの異常検知信号を確実に通報処理することができる。
【図面の簡単な説明】
【００３６】
【図１】無線通信を用いた警備システムに関する概略図である。
【図２】本発明に係る実施形態に関する概略説明図である。
【図３】通報装置に関する概略ブロック図である。
【図４】通信機に関する概略ブロック図である。
【図５】無線センサに関する概略ブロック図である。
【図６】通信機及び無線センサを関連付けた識別コードに関するテーブルである。
【図７】通信機２Ｂの受信処理フローである。
【図８】通報装置のリカバリ受信処理フローである。
【図９】通信機の別の受信処理フローである。
【図１０】通報装置の別の受信処理フローである。
【符号の説明】
【００３７】
１・・・通報装置、２・・・通信機、３・・・無線電話回線、４・・・有線電話回線、５・・・警備センタ。
【図１】
2006099506.tif 000003
【図２】
2006099506.tif 000004
【図３】
2006099506.tif 000005
【図４】
2006099506.tif 000006
【図５】
2006099506.tif 000007
【図６】
2006099506.tif 000008
【図７】
2006099506.tif 000009
【図８】
2006099506.tif 000010
【図９】
2006099506.tif 000011
【図１０】
2006099506.tif 000012